(57)【要約】【課題】  臀裂部までをカバーして臀裂部の湿気を効率的に除去することができるボトム下着とする。【解決手段】  １つの腰部帯体１１０と、腰部帯体１１０に連なった２つのサポート体１２０Ｒ、１２０Ｌと、腰部帯体１１０に連なり、２つのサポート体１２０Ｒ、１２０Ｌを内側に納めたショーツ状のボトム体１３０とを備え、サポート体１２０Ｒ、１２０Ｌは、腰部帯体１１０に連なり、一方の臀部Ｂ２００Ｒ、Ｂ２００Ｌ及び鼠径部Ｂ１００Ｒ、Ｂ１００Ｌをカバーする上側サポート部１２１Ｒ、１２１Ｌと、上側サポート部１２１Ｒ、１２１Ｌと連なり、他方の大腿部Ｂ３００Ｌ、Ｂ３００Ｒが入る大腿用貫通孔１２３Ｒ、１２３Ｌを有する大腿サポート部１２２Ｒ、１２２Ｌとを有し、上側サポート部１２１Ｒ、１２１Ｌの後側縁部１２４Ｒ、１２４Ｌが臀裂部Ｂ４００に入り込む。【選択図】      図４
2012136799.tif 000002
【特許請求の範囲】
【請求項１】
１つの腰部帯体と、この腰部帯体に連なった２つのサポート体とを具備しており、前記サポート体は、腰部帯体に連なり、少なくとも一方の臀部をカバーする上側サポート部と、この上側サポート部と連なり、他方の大腿部が入る大腿用貫通孔を有する大腿サポート部とを有しており、前記上側サポート部の後側縁部が臀裂部に入り込むことを特徴とするボトム下着。
【請求項２】
前記サポート体の上部サポート体は、臀部の他に鼠径部をカバーすることを特徴とする請求項１記載のボトム下着。
【請求項３】
前記１つの腰部帯体に連なり、前記２つのサポート体を内側に納めたショーツ状のボトム体を具備したことを特徴とする請求項１又は２記載のボトム下着。
【請求項４】
前記大腿サポート部は、筒状に形成されていることを特徴とする請求項１、２又は３記載のボトム下着。
【発明の詳細な説明】
【技術分野】
【０００１】
本発明は、ボトム下着に関する。
【背景技術】
【０００２】
下半身に履くボトム下着は、腰回りを覆う筒状の腰部カバー部と、この腰部の下方に連なる２つの筒状の太股カバー部とが一体となったものである（特開２００６−５２４７５号公報）。
人間の下半身の後ろ側には、２つの盛り上がった臀部と、この臀部の間に肛門に向かって切れ込む臀裂部とがある。
一般的なボトム下着では、腰部カバー部が２つの臀部をカバーするが、２つの臀部の間の臀裂部まではカバーしない。
臀裂部までカバーするのは、腰部カバー部が筒状ではなく紐状になったいわゆるＴバック状のものに限られる。
【０００３】
【特許文献１】特開２００６−５２４７５号公報
【発明の開示】
【発明が解決しようとする課題】
【０００４】
ところで、臀裂部の皮膚疾患や痔疾は、臀裂部は汗が流れ込みやすい溝状になっていることも１つの原因となっている。このため、臀裂部の湿気を除去することはこれらの疾患の予防策として重要であるが、従来の下着は、臀裂部までをカバーして臀裂部の湿気を除去することまでは考慮されていない。いわゆるＴバック状のものは臀裂部までカバーするが、湿気の除去という機能はまったくもっていない。
【０００５】
本発明は、上記事情に鑑みて創案されたもので、臀裂部までをカバーして臀裂部の湿気を効率的に除去することができるボトム下着を提供することを目的としている。
【課題を解決するための手段】
【０００６】
本発明に係るボトム下着は、１つの腰部帯体と、この腰部帯体に連なった２つのサポート体とを備えており、前記サポート体は、腰部帯体に連なり、少なくとも一方の臀部をカバーする上側サポート部と、この上側サポート部と連なり、他方の大腿部が入る大腿用貫通孔を有する大腿サポート部とを有しており、前記上側サポート部の後側縁部が臀裂部に入り込むようになっている。
【発明の効果】
【０００７】
本発明に係るボトム下着は、２つのサポート体の臀部をカバーする上部サポート部の後側縁部が臀裂部に入り込むようになっているので、臀裂部までをカバーすることができ、その結果、臀裂部の湿気を除去することができる。このため、このボトム下着であると、臀裂部の皮膚疾患や痔疾の治癒を促進することができる。
【図面の簡単な説明】
【０００８】
【図１】本発明の実施の形態に係るボトム下着の右側サポート体を示す概略的斜視図である。
【図２】本発明の実施の形態に係るボトム下着の左側サポート体を示す概略的斜視図である。
【図３】本発明の実施の形態に係るボトム下着からボトム体を除いた状態を示す概略的斜視図である。
【図４】本発明の実施の形態に係るボトム下着の概略的斜視図である。
【図５】本発明の実施の形態に係るボトム下着の効果を示す概略的断面図である。
【図６】人体の下半身の各部の名称及び位置関係を示す図面であって、同図（Ａ）は概略的正面図、同図（Ｂ）は概略的背面図、同図（Ｃ）は概略的側面図である。
【発明を実施するための形態】
【０００９】
本発明の実施の形態に係るボトム下着１００は、１つの腰部帯体１１０と、この腰部帯体１１０に連なった２つのサポート体１２０Ｒ、１２０Ｌと、前記腰部帯体１１０に連なり、前記２つのサポート体１２０Ｒ、１２０Ｌを内側に納めたショーツ状のボトム体１３０とを備えており、前記サポート体１２０Ｒ、１２０Ｌは、腰部帯体１１０に連なり、一方の臀部Ｂ２００Ｒ、Ｂ２００Ｌ及び鼠径部Ｂ１００Ｒ、Ｂ１００Ｌをカバーする上側サポート部１２１Ｒ、１２１Ｌと、この上側サポート部１２１Ｒ、１２１Ｌと連なり、他方の大腿部Ｂ３００Ｌ、Ｂ３００Ｒが入る大腿用貫通孔１２３Ｒ、１２３Ｌを有する大腿サポート部１２２Ｒ、１２２Ｌとを有しており、前記上側サポート部１２１Ｒ、１２１Ｌの後側縁部１２４Ｒ、１２４Ｌが臀裂部Ｂ４００に入り込むようになっている。
【００１０】
まず、本発明の実施の形態に係るボトム下着１００の説明の前に、図６を参照して人体の各部について説明する。
人体の側腹部Ｂ５５０Ｒ、Ｂ５５０Ｌ、クロッチ部Ｂ４５０、腰部Ｂ５００、鼠径部Ｂ１００Ｒ、Ｂ１００Ｌ、仙骨部Ｂ５６０及び臀部Ｂ２００Ｒ、Ｂ２００Ｌの位置は、図６に示す通りである。
下腹部の前中心は恥骨部、その下方の外性器部及び背面側の肛門部はクロッチ部Ｂ４５０、その背面側の上方は仙骨部Ｂ５６０と称される。クロッチ部Ｂ４５０の体前面側（外性器部）と恥骨部との境界は恥丘の近辺であり、クロッチ部Ｂ４５０の体後面側（肛門部）と仙骨部との境界は、尾骨の近辺である。
臀裂部Ｂ４００は、２つの臀部Ｂ２００Ｒ、Ｂ２００Ｌの間の溝であり、仙骨部Ｂ５６０からクロッチ部Ｂ４５０の体後面側にかけて形作られている。
【００１１】
前記腰部帯体１１０は、腰部Ｂ５００を一周するバンドであって、伸縮性のあるゴム等からなる帯状に形成されている。
【００１２】
前記サポート体には、右側サポート体１２０Ｒと左側サポート体１２０Ｌとがある。この右側サポート体１２０Ｒと左側サポート体１２０Ｌとは、左右対称になっている。
前記右側サポート体１２０Ｒは、右側の臀部Ｂ２００Ｒ及び右側の鼠径部Ｂ１００Ｒをカバーする右側上部サポート部１２１Ｒと、左足の大腿部Ｂ３００Ｌが入る左側大腿用貫通孔１２３Ｒを有する左側大腿サポート部１２２Ｒとが一体に形成されたものである。
【００１３】
前記右側上部サポート部１２０Ｒは、腰部帯体１１０の右側半分に連なっている。この右側上部サポート部１２１Ｒは、右側の臀部Ｂ２００Ｒをカバーする部分が臀部Ｂ２００Ｒの形状に対応したドーム状になっており、その後側縁部１２４Ｒは臀裂部Ｂ４００に入り込むようになっている。また、右側上部サポート部１２１Ｒの鼠径部Ｂ１００Ｒをカバーする部分は、外性器部までを右側からカバーするようになっている。
従って、この右側上部サポート部１２１Ｒは、着用する人体の正面側からみると、外性器部、右側側腹部Ｂ５５０Ｒ、右側の臀部Ｂ２００Ｒまでをカバーし、後側縁部１２４Ｒが仙骨部からクロッチ部に掛けて臀裂部Ｂ４００の内側に入り込むようになっているのである（図５参照）。
【００１４】
一方、前記左側大腿サポート部１２３Ｒは、左足の大腿部Ｂ３００Ｌに対応するような筒状に形成されている。この左側大腿サポート部１２３Ｒの上縁部の内側縁部１２６Ｒは、前記右側上部サポート部１２１Ｒの前側縁部１２５Ｒ及び後側縁部１２４Ｒと連なっている。この左側大腿サポート部１２２Ｒの内側の全体が左側大腿用貫通孔１２３Ｒになっているのである。
【００１５】
従って、例えば、腰部帯体１１０に右側サポート体１２０Ｒのみが連なっていると仮定した場合（図１に示すような状態）、左足は腰部帯体１１０及び左側大腿サポート部１２２Ｒを通過して、左側大腿サポート部１２２Ｒによって左足の大腿部Ｂ３００Ｌがカバーされる。また、同時に右足は腰部帯体１１０及び右側上部サポート部１２１Ｒを通過して、右側上部サポート部１２１Ｒによって右側の臀部Ｂ２００Ｒ及び右側の鼠径部Ｂ１００Ｒがカバーされる。
【００１６】
前記左側サポート体１２０Ｌは、前記右側サポート体１２０Ｒの左右を反転させたものであるから、左側の臀部Ｂ２００Ｌ及び左側の鼠径部Ｂ１００Ｌをカバーする左側上部サポート部１２１Ｌと、右足の大腿部Ｂ３００Ｒが入る右側大腿用貫通孔１２３Ｌを有する右側大腿サポート部１２２Ｌとが一体に形成されたものである。
すなわち、この左側サポート体１２０Ｌは、前記右側サポート体１２０Ｒによってカバーされていない左側の臀部Ｂ２００Ｌ及び左側の鼠径部Ｂ１００Ｌと、右足の大腿部Ｂ３００Ｒとをそれぞれカバーするものになる。
【００１７】
前記ボトム体１３０は、一般のショーツ状のものである。すなわち、１つの入り口と２つの出口とを有する筒体状になっている。かかるボトム体１３０は、上縁部が腰部帯体１１０に連なっており、前記２つのサポート体、すなわち右側サポート体１２０Ｒと左側サポート体１２０Ｌとを内側に納めているのである。
従って、このボトム下着１００を外側からみると、図４に示すように、一般的なショーツと同等に見えることになる。
【００１８】
このボトム下着１００を男性用のものとする場合には、ボトム体１３０の前立て部に開口部（図示省略）を形成しておけば、小用の際に２つのサポート体１２０Ｒ、１２０Ｌの上側サポート部１２１Ｒ、１２１Ｌの隙間を介して陰茎を取り出すことができる。
また、この女性用のボトム下着とする場合には、ボトム体１３０にはこのような開口部は不要となる。
【００１９】
なお、上述した右側サポート体１２０Ｒ、左側サポート体１２０Ｌ及びボトム体１３０はある程度の伸縮性を有する布地から構成されることが望ましい。
【００２０】
このように構成されたボトム下着１００であると、２つのサポート体１２０Ｒ、１２０Ｌはボトム体１３０の内側に位置しているため、身につける際に足が入れにくい、或いは身につける際にサポート体１２０Ｒ、１２０Ｌが捲れてしまうといった問題は生じない。しかも、臀裂部Ｂ４００に対しては右側からは右側上部サーポト体１２１Ｒの後側縁部１２４Ｒが、左側からは左側上部サポート体１２１Ｌの後側縁部１２４Ｌがそれぞれ入り込むので、臀裂部Ｂ４００の内側まで確実にカバーされることになる。
【００２１】
上述した実施の形態では、サポート体１２０Ｒ、１２０Ｌの大腿サポート部１２２Ｒ、１２２Ｌは、筒状であるとしたため、このボトム下着１００は全体としてトランクス状或いはボクサーショーツ状に形成されることになったが、例えば、リング状のようにそれほど深くしなければ、ブリーフ状に形成することも可能である。
【００２２】
また、上述した実施の形態では、２つのサポート体１２０Ｒ、１２０Ｌをボトム体１３０の内側に納めることとしたが、このボトム体１３０を完全に用いないことも可能である。その場合には、特に男性用の場合には外性器がはみ出さないように、２つのサポート体１２０Ｒ、１２０Ｌの上側サポート部１２１Ｒ、１２１Ｌの前側縁部１２５Ｒ、１２５Ｌが重なるようにしておくことも可能である。
【符号の説明】
【００２３】
１００    ボトム下着
１１０    腰部帯体
１２０Ｒ  右側サポート体
１２０Ｌ  左側サポート体
１２１Ｒ  右側上部サポート部
１２１Ｌ  左側上部サポート部
１２２Ｒ  左側大腿サポート部
１２２Ｌ  右側大腿サポート部
１２３Ｒ  左側大腿用サポート孔
１２３Ｌ  右側大腿用サポート孔
１３０    ボトム体
【図１】
2012136799.tif 000003
【図２】
2012136799.tif 000004
【図３】
2012136799.tif 000005
【図４】
2012136799.tif 000006
【図５】
2012136799.tif 000007
【図６】
2012136799.tif 000008